(57)【要約】【課題】簡易な構成でパララックス補正を行うことができるファインダ装置を提供すること。【解決手段】本ファインダ装置は、開口部５と複数のエレクトレット化部位８とを備えた視野枠２と、この視野枠２の開口部５より大きい開口部３と視野枠２の複数のエレクトレット化部位８に対向するようにして所定の間隔で並べられた複数の駆動電極４とを備えた固定子１と、固定子１の駆動電極４に駆動信号を与える視野枠駆動回路１０とを備えている。視野枠駆動回路１０は、被写体の距離情報と撮影レンズの焦点距離情報とに基づいて駆動電極４に駆動信号を与えることにより、視野枠２を固定子１に対して相対移動させてファインダのパララックスを補正する。【選択図】図５
2005321638.tif 000002
【特許請求の範囲】
【請求項１】
被写体からの光線をファインダ観察者に導くための光線通過可能領域と複数のエレクトレット化部位とを備えた視野枠と、
上記視野枠の光線通過可能領域より大きい光線通過可能領域と上記複数のエレクトレット化部位に対向するようにして所定の間隔で並べられた複数の電極とを備えた固定子と、
上記固定子の上記複数の電極に駆動信号を与える視野枠駆動回路と、
を具備し、
上記視野枠駆動回路が、被写体の距離情報と撮影レンズの焦点距離情報とに基づいて上記複数の電極に上記駆動信号を与えることにより、上記視野枠を上記固定子に対して相対移動させてファインダのパララックス補正を行うことを特徴とすることを特徴とするファインダ装置。
【請求項２】
上記光線通過可能領域は、開口部又は透過部によって構成されることを特徴とする請求項１に記載のファインダ装置。
【請求項３】
上記視野枠と上記固定子とはユニット化されており、
上記ユニットは該ユニットをカメラに取り付けるための取り付け部材に取り付けられることを特徴とする請求項１に記載のファインダ装置。
【請求項４】
上記取り付け部材は、上記視野枠の移動方向に対する位置決めを行うための位置決め部材を有することを特徴とする請求項３に記載のファインダ装置。
【請求項５】
上記視野枠の位置を保持しておくための視野枠保持回路を更に具備することを特徴とする請求項１に記載のファインダ装置。
【請求項６】
上記視野枠保持回路は、カメラの電源投入時、上記視野枠の移動終了後、及び撮影終了時に動作することを特徴とする請求項５に記載のファインダ装置。
【発明の詳細な説明】
【技術分野】
【０００１】
本発明は、ファインダ装置に関し、特にパララックス補正機能を有するファインダ装置に関する。
【背景技術】
【０００２】
一般に、コンパクトカメラでは、撮影構図を確認するためのファインダ光学系と撮影を行うための撮影光学系とのそれぞれの光軸が異なって配置されていることが多い。この場合には、ファインダ装置内の接眼レンズを介してファインダ観察者に観察される範囲と実際に撮影がなされる範囲とにずれが生じてしまう。このずれは、パララックスと呼ばれ、一般に被写体までの距離が近いほど大きくなる。
【０００３】
このようなパララックスを補正するための技術としては、種々のものが提案されている。例えば、特許文献１において提案されている技術は、ファインダの視野内に複数のパララックス補正用のマークを表記しておく技術である。
【０００４】
また、特許文献２において提案されている技術は、ファインダ光学系内のレンズを被写体距離に応じて機械的に変位させることによってパララックス補正を行う技術である。
【０００５】
更に、特許文献３において提案されている技術は、ファインダの視野を補正するための補正枠を備えておき、この補正枠をパルスモータによって機械的に移動させてパララックス補正を行う技術である。
【特許文献１】特開平７−２８１３４号公報
【特許文献２】特開平７−５５２７号公報
【特許文献３】特開平１１−１５０４７号公報
【発明の開示】
【発明が解決しようとする課題】
【０００６】
しかしながら、特許文献１のようにファインダ視野を示すマークを表記するだけでは、ユーザが分かりにくいと感じてしまう可能性がある。また、特許文献２のようにファインダ光学系内のレンズを変位させる手法では、構造が複雑化する可能性が高い。更に、特許文献３のように補正枠を機械的に駆動する手法では駆動機構が複雑化する可能性が高い。
【０００７】
本発明は、上記の事情に鑑みてなされたもので、簡易な構成でパララックス補正を行うことができるファインダ装置を提供することを目的とする。
【課題を解決するための手段】
【０００８】
上記の目的を達成するために、本発明の第１の態様によるファインダ装置は、被写体からの光線をファインダ観察者に導くための光線通過可能領域と複数のエレクトレット化部位とを備えた視野枠と、上記視野枠の光線通過可能領域より大きい光線通過可能領域と上記複数のエレクトレット化部位に対向するようにして所定の間隔で並べられた複数の電極とを備えた固定子と、上記固定子の上記複数の電極に駆動信号を与える視野枠駆動回路とを具備し、上記視野枠駆動回路が、被写体の距離情報と撮影レンズの焦点距離情報とに基づいて上記複数の電極に上記駆動信号を与えることにより、上記視野枠を上記固定子に対して相対移動させてファインダのパララックス補正を行うことを特徴とすることを特徴とする。
【０００９】
この第１の態様によれば、エレクトレット化部位を有する視野枠を静電駆動することにより、簡易な構成でパララックス補正を行うことができる。
【発明の効果】
【００１０】
本発明によれば、簡易な構成でパララックス補正を行うことができるファインダ装置を提供することができる。
【発明を実施するための最良の形態】
【００１１】
以下、図面を参照して本発明の実施形態を説明する。  
［第１の実施形態］
図１は、本発明の第１の実施形態に係るファインダ装置におけるファインダ光学系について示す図である。なお、図１の一点鎖線が、ファインダ光路を示す。図１において、図示しない被写体の像は、複数のレンズ１０１、１０２、１０３から構成される対物レンズを介してダハミラー１０４に入射する。その後、被写体の像は、ダハミラー１０４で反射され、視野枠ユニット１０５の近傍に空中像を結ぶ。この空中像は、プリズム１０６を介して接眼レンズ１０７に入射し、接眼レンズ１０７で拡大されてファインダ観察者により観察される。
【００１２】
次に、第１の実施形態に係るファインダ装置の要部である視野枠ユニット１０５について説明する。ここで、第１の実施形態では、カメラを正面方向から見たときに、撮影光学系の真上にファインダ光学系が配置される例について説明する。
【００１３】
図２（ａ）に示すように、視野枠ユニット１０５は、基本的に固定子１と視野枠２とを備えており、視野枠２は固定子１に対して図２（ａ）及び図２（ｂ）において上下方向に移動自在に構成されている。そして、固定子１には、被写体からの光像を上記図１のプリズム１０６方向に導くための開口部３からなる光線通過可能領域が設けられている。更に、この固定子１には、上記視野枠２の移動方向と直交する方向に、帯状に延出された複数の駆動電極４が所定の間隔で並設されている。
【００１４】
また、上記視野枠２は、遮光性を有するように構成されており、その一部にファインダ視野を規定するための開口部５からなる光線通過可能領域が設けられている。更に、視野枠２には、駆動電極４と対向するようにして、永久分極された誘導体（以下、エレクトレット化部位と称する）部位が複数備えられている。ここで、固定子１の開口部３は視野枠２の開口部５よりも大きく、より具体的には、ファインダの視野範囲程度の大きさにしておく。
【００１５】
このような構成において、駆動電極４に周波電圧を印加すると、駆動電極４と上述したエレクトレット化部位との間に吸引力若しくは反発力が発生し、結果的に視野枠２が固定子１に対して相対移動する。したがって、遮光性を有する視野枠２が移動することにより、ファインダ視野を図２（ａ）の状態から図２（ｂ）の状態に移動させることができる。なお、光線通過可能領域は、必ずしも開口部とする必要はなく、開口部に相当する領域を光透過部で構成するようにしても良い。
【００１６】
このように、ファインダ装置の視野範囲は、視野枠２によって規定される。即ち、視野枠２によってマスクされた範囲は、図３（ａ）や図３（ｂ）の斜線部で示す暗黒の枠としてファインダ観察者により観察される。ここで、図３（ａ）は被写体距離が遠距離の場合にファインダ観察者によって観察される視野範囲を示し、図３（ｂ）は被写体距離が近距離の場合にファインダ観察者によって観察される視野範囲を示す。図３（ｂ）の場合には、被写体距離が近いので、視野枠２が駆動されてパララックスの補正が行われる。これにより、ファインダ観察者によって観察される視野範囲が変化する。ここで、図３（ｂ）には、比較のために、被写体距離が遠距離の場合の視野範囲２０も図示している。
【００１７】
図４は、視野枠ユニット１０５の分解斜視図である。図４において、固定子１及び視野枠２は、図４に示す保護部材６及び７によって保護されるようになっている。これら保護部材６及び７には、被写体からの光像を上記図１のプリズム１０６方向に導くための光線通過可能領域（開口部若しくは透過部）がそれぞれ設けられている。ここで、固定子１と保護部材６との間には、視野枠２が移動するための空間を確保するために、図示しないスペーサが配置されている。なお、保護部材６を箱状形状にしても良い。
【００１８】
図５は、固定子１と視野枠２の断面を模式的に示すと共に、視野枠２を駆動するための視野枠駆動回路１０を示した図である。この視野枠駆動回路１０には、視野枠２の位置を保持しておくための回路（視野枠保持回路）１５が含まれる。
【００１９】
図５において、固定子１に並設されたそれぞれの駆動電極４には、視野枠駆動回路１０からの電圧信号線が接続されている。これらの電圧信号線には、４相の電圧信号が印加されるようになっており、従って、駆動電極４には、４本毎に同一の電圧信号が印加される。図５では、駆動電極４にＡ、Ｂ、Ｃ、Ｄの符号を付してこの電圧信号を区別している。
【００２０】
また、視野枠２は、固定子１との対向面に永久分極された誘導体（エレクトレット）８を複数備えている。
【００２１】
なお、この図は、あくまでも模式図であり、実際の固定子に並設される駆動電極、視野枠のエレクトレット化部位の数や配置間隔は、開口部の面積や、エレクトレット化部位の極性、その配置形態等の様々な要因によって適宜決定されるものである。また、図５では、正負の極性を有するエレクトレット化部位が交互に配置されているように図示されているが、何れか一方の極性を省略するようにしても良い。
【００２２】
このようなエレクトレットを利用した視野枠２は、薄型化、軽量化することが可能であり、ファインダ装置の大型化を抑制することができる。
【００２３】
また、図５の左側には、視野枠２を駆動するために、駆動電極４に印加する電圧信号を発生するための視野枠駆動回路１０の構成が示されている。
【００２４】
視野枠２の駆動が行われる際には、パルス発生回路１２によって視野枠保持回路１５内の切り替えスイッチがＢ接点側に切り替えられる。この状態で視野枠駆動回路１０内のパルス発生回路１２で生成した矩形波列（駆動信号）は、位相器１３及び昇圧回路１４に供給される。昇圧回路１４では、入力された矩形波列が１００Ｖ程度まで昇圧されると共に、２つの極性を有する電圧信号に分岐されて、駆動電極４Ａ及び４Ｃに供給される。一方、位相器１３に入力された矩形波列は、９０°位相が遅れた波形となり、その後、昇圧回路１４に入力されて、上述と同様の２つの矩形波列となり、駆動電極４Ｂ及び４Ｄに供給される。
【００２５】
図６は、上記視野枠駆動回路１０によって作成されて、駆動電極４Ａ〜４Ｄに印加される電圧信号列の例を示したタイミングチャートである。このうち、図６（ａ）は駆動電極４Ａ、図６（ｂ）は駆動電極４Ｂ、図６（ｃ）は駆動電極４Ｃ、図６（ｄ）は駆動電極４Ｄのタイミングチャートである。
【００２６】
なお、駆動電極４Ａ〜４Ｄの電圧の状態は、時間ｔ１〜ｔ４の４つの状態が、時間経過に対応して繰り返して変化するものである。
【００２７】
また、図７（ａ）〜（ｄ）は、上述した視野枠の動作を説明する図である。なお、図７（ａ）〜（ｄ）は固定子１及び視野枠２を寝かせて図示したものである。図７（ａ）〜（ｄ）において、同図右側方向を視野枠２の進行方向として、後方側（左側）に正極（プラス）のエレクトレット化部位８ａ、前方側（右側）に負極（マイナス）のエレクトレット化部位８ｂが配列されているものとする。
【００２８】
図７（ａ）は、図６（ａ）に示される時間ｔ１に切り替わった直後のエレクトレット化部位と駆動電極４の電圧の状態（極性）を示している。
【００２９】
この状態に於いて、正極のエレクトレット化部位８ａは、駆動電極４Ａ（正極）から反発力を受け、駆動電極４Ｂ（負極）から吸引力を受ける。また、負極のエレクトレット化部位８ｂは、駆動電極４Ｃ（負極）から反発力を受け、駆動電極４Ｄ（正極）から吸引力を受ける。このため、視野枠２は、図７（ａ）の右方向に力を受けて、１つの駆動電極ピッチｄ分右方向に移動する。
【００３０】
図７（ｂ）は、時間ｔ２に切り替わった直後のエレクトレット化部位と駆動電極の電圧の状態を示している。
【００３１】
この状態に於いて、エレクトレット化部位８ａは、駆動電極４Ｂ（正極）から反発力を受け、駆動電極４Ｃ（負極）から吸引力を受ける。また、エレクトレット化部位８ｂは、駆動電極４Ｄ（負極）から反発力を受け、駆動電極４Ａ（正極）から吸引力を受ける。このため、視野枠２は、図７（ｂ）の右方向に力を受けて、１つの駆動電極ピッチｄ分移動する。
【００３２】
同様に、図７（ｃ）は、時間ｔ３に切り替わった直後のエレクトレット化部位と駆動電極の電圧の状態を示している。
【００３３】
この状態に於いて、エレクトレット化部位８ａは、駆動電極４Ｃ（正極）から反発力を受け、駆動電極４Ｄ（負極）から吸引力を受ける。また、エレクトレット化部位８ｂは、駆動電極４Ａ（負極）から反発力を受け、駆動電極４Ｂ（正極）から吸引力を受ける。このため、視野枠２は、図７（ｃ）の右方向に力を受けて、１つの駆動電極ピッチｄ分移動する。
【００３４】
更に、図７（ｄ）は、時間ｔ４に切り替わった直後のエレクトレット化部位と駆動電極の電圧の状態を示している。
【００３５】
この状態に於いて、エレクトレット化部位８ａは、駆動電極４Ｄ（正極）から反発力を受け、駆動電極４Ａ（負極）から吸引力を受ける。また、エレクトレット化部位８ｂは、駆動電極４Ａ（負極）から反発力を受け、駆動電極４Ｃ（正極）から吸引力を受ける。このため、視野枠２は、図７（ｄ）の右方向に力を受けて、１つの駆動電極ピッチｄ分移動する。
【００３６】
上述したように、視野枠２は１つの駆動電極ピッチｄ移動し、この動作が繰り返されることで、視野枠２は図７（ａ）→（ｂ）→（ｃ）→（ｄ）のように右方向（図示矢印Ｆ方向）に移動する。なお、視野枠２を図の左方向に移動するためには、駆動電極４に印加する電圧の極性を逆順で切り替えれば良い。
【００３７】
また、視野枠２の位置を初期位置にリセットした場合や、視野枠２の位置をパララックス補正後の位置で保持する場合などでは、視野枠保持回路１５内の切り替えスイッチがＡ接点側に切り替えられる。これにより、駆動電極が回路系の電源電圧に接続され、負のエレクトレット化部位は吸引、正のエレクトレット化部位は反発する力が作用することになるので、視野枠２の位置が保持される。
【００３８】
また、視野枠保持回路１５としては、パルス発生回路１２とは別に定電圧発生回路を設けるようにしても良い。即ち、視野枠２の位置を保持する場合には、視野枠２と駆動電極４との間に吸引力が発生するような定電圧を発生させるようにすれば良い。
【００３９】
図８は、視野枠ユニット１０５をカメラに取り付ける際に用いられる取り付け部材について図示したものである。図８において、取り付け部材９には２つの位置決め部材９ａ、９ｂが設けられている。また、固定子１、視野枠２、保護部材６、及び保護部材７には、位置決め孔１ａと１ｂ、位置決め孔２ａと２ｂ、位置決め孔６ａと６ｂ、及び位置決め孔７ａと７ｂがそれぞれ形成されており、これら位置決め孔によって固定子１、視野枠２、保護部材６、及び保護部材７の視野枠面に沿った方向の位置決めがなされる。
【００４０】
ここで、視野枠２に形成された位置決め孔２ａ、２ｂは、長孔形状となっている。即ち、視野枠２は、位置決め孔２ａ、２ｂの長さに応じた分だけ移動可能であり、これによって視野枠２の移動量が規制される。
【００４１】
図９は、第１の実施形態の視野枠ユニット１０５を取り付けたカメラの内部の電気回路構成について示すブロック図である。なお、この図９のカメラは、コンパクトカメラを想定して図示したものである。
【００４２】
図９において、対物レンズ１０１〜１０３を介して入射される図示しない被写体からの光束は、ダハミラー１０４、視野枠ユニット１０５、プリズム１０６を介して接眼レンズ１０７に至る。ここで、視野枠ユニット１０５の視野枠は、視野枠駆動回路１０によって駆動制御がなされる。
【００４３】
また、このカメラの撮影レンズは、焦点レンズ１０８ａとズームレンズ１０８ｂとから構成されている。焦点レンズ１０８ａは、焦点レンズ駆動機構１０９によって光軸方向に駆動される。また、ズームレンズ１０８ｂはズームレンズ駆動機構１１０によって光軸方向に駆動される。また、焦点レンズ駆動機構１０９では焦点レンズ１０８ａの位置が検出されて、その検出された焦点位置情報（被写体の距離情報に相当する）がボディ制御用マイクロコンピュータ（Ｂμｃｏｍ）１１１に入力される。また、ズームレンズ駆動機構１１０ではズームレンズ１０８ｂの位置が検出されて、その検出されたズーム情報（撮影レンズの焦点距離情報に相当する）がＢμｃｏｍ１１１に入力される。これら焦点レンズ１０８ａ、ズームレンズ１０８ｂの位置は、例えば基準位置（焦点レンズ１０８ａであれば無限位置、ズームレンズ１０８ｂであればワイド端位置）からの繰り出し量を検出するようにすれば良い。この繰り出し量は、焦点レンズ１０８ａやズームレンズ１０８ｂを駆動するための図示しないモータの駆動量から検出できる。勿論、レンズの位置検出に、エンコーダなどを用いるようにしても良い。
【００４４】
また、絞り兼用のシャッタ１１２はシャッタ駆動制御回路１１３によって開閉駆動される。
【００４５】
Ｂμｃｏｍ１１１は、上記視野枠駆動回路１０、焦点レンズ駆動機構１０９、ズームレンズ駆動機構１１０、シャッタ駆動制御回路１１３の駆動制御を行う。ここで、Ｂμｃｏｍ１１１には、焦点レンズ駆動機構１０９から入力された焦点位置情報及びズームレンズ駆動機構１１０から入力されたズーム位置情報から、視野枠ユニット１０５内の視野枠の駆動量を決定するための視野枠駆動量算出テーブル１１１ａが記憶されており、Ｂμｃｏｍ１１１は、この視野枠駆動量算出テーブル１１１ａに基づいて算出した駆動量に基づいて視野枠駆動回路１０の制御を行う。
【００４６】
また、測距回路１１４は、例えば周知の外光パッシブＡＦ方式などを用いて測距演算を行うための回路である。この測距演算については本発明の本質とは異なるので説明を省略する。測距回路１１４で演算された結果は、Ｂμｃｏｍ１１１に入力され、Ｂμｃｏｍ１１１は入力された測距結果に基づいて焦点レンズ１０８ａのフォーカス制御が行われる。
【００４７】
また、測光回路１１５は、例えば光センサなどを用いて図示しない被写体の輝度を検出するための回路である。ここで、検出された輝度情報は、Ｂμｃｏｍ１１１に入力され、Ｂμｃｏｍ１１１では入力された検出結果に基づいて露光秒時の決定などの露光演算が行われる。
【００４８】
また、上記シャッタ１１２の後方には、シャッタ１１２を通過した被写体像を光電変換するための撮像素子（ＣＣＤ）１１６が設けられている。撮像素子１１６は、撮像素子インターフェイス回路１１７によって駆動される。また、撮像素子１１６から読み出された画像信号は撮像素子インターフェイス回路１１７に入力される。
【００４９】
また、このカメラにおいては、上記撮像素子インターフェイス回路１１７と、一時記憶領域として設けられたＳＤＲＡＭ１１８と、液晶モニタ１１９、及び通信コネクタ１２０を介して記録メディア１２１が、画像処理を行うための画像処理コントローラ１２２に接続されている。これらは、電子撮像機能と共に電子記録及び電子表示機能を提供できるように構成されている。
【００５０】
上記記録メディア１２１は、各種のメモリカード等の外部記録媒体であり、通信コネクタ１２０を介してカメラに対して通信可能、且つ交換可能に装着される。
【００５１】
また、上記画像処理コントローラ１２２は、焦点レンズ駆動機構１０９、ズームレンズ駆動機構１１０、シャッタ駆動制御回路１１３、測距回路１１４、測光回路１１５、不揮発性メモリ（ＥＥＰＲＯＭ）１２３等と共に、このカメラの各部を制御するＢμｃｏｍ１１１に接続されている。
【００５２】
更に、Ｂμｃｏｍ８５には、当該カメラの動作状態を表示出力によって撮影者へ告知するための動作表示用ＬＣＤ１２４と、カメラ操作スイッチ（ＳＷ）１２５と、電源回路１２６を介して電池１２７とが接続されている。
【００５３】
上記不揮発性メモリ１２３は、カメラ制御に必要な所定の制御パラメータ等を記憶する記憶部であり、Ｂμｃｏｍ８５からアクセス可能に設けられている。
【００５４】
上記動作表示用ＬＣＤ１２４は、当該カメラの動作状態を表示出力によってユーザへ告知するためのものである。上記カメラ操作スイッチ１２５は、例えば撮影動作の実行を指示するレリーズスイッチ、撮影モードと画像表示モードとを切り替えるモード変更スイッチ、及びカメラの電源のオンオフを切り替えるパワースイッチ等、当該カメラを操作するために必要な操作釦によってオンオフされるスイッチ群で構成される。
【００５５】
更に、電源回路１２６は、電源としての電池１２７の電圧を、当該カメラの各回路ユニットが必要とする電圧に変換して供給するために設けられている。
【００５６】
また、図９のカメラにはストロボ装置が設けられている。ここで、ストロボ装置は、ストロボ制御マイクロコンピュータ１２８と、電池１２９と、ＤＣ／ＤＣコンバータ１３０と、閃光発光部１３１とから構成されている。そして、ストロボ制御マイクロコンピュータ１２８はＢμｃｏｍ１１１と通信可能である。
【００５７】
このように構成されたカメラの各部は、次のように稼動する。
【００５８】
先ず、Ｂμｃｏｍ１１１の指令に従って撮像素子インターフェイス回路１１７が制御されて、撮像素子１１６から画像データが取り込まれる。この画像データは、一時保管用メモリであるＳＤＲＡＭ１１８に取り込まれる。このＳＤＲＡＭ１１８は、画像データが変換される際のワークエリア等に使用される。また、この画像データは、ＪＰＥＧデータに変換された後に、記録メディア１２１に保管されるように設定されている。
【００５９】
測距回路１１４からの出力は、Ｂμｃｏｍ１１１に入力されて、周知のフォーカス制御が行われる。
【００６０】
一方、測光回路１１５内の図示しない光センサで検出された結果は、Ｂμｃｏｍ１１１に入力されて、周知の測光処理が行われる。
【００６１】
シャッタ駆動制御回路１１３では、Ｂμｃｏｍ１１１からシャッタ１１２を駆動制御するための信号が受け取られると、その信号に基づいてシャッタ１１２が駆動される。また、Ｂμｃｏｍ１１１からストロボ制御マイクロコンピュータ１２８には、所定のタイミングでストロボを発光させるための発光制御信号が出力される。ストロボ制御マイクロコンピュータ１２８において発光制御信号が受け取られると、ストロボ制御マイクロコンピュータ１２８の制御の下、電池１２９の電圧がＤＣ／ＤＣコンバータ１３０によって３００Ｖ程度まで昇圧され、この昇圧された電圧に基づいて閃光発光部１３１が発光される。
【００６２】
また、撮影者によって上述したカメラ操作スイッチ１２５の中のモード変更スイッチが操作されて、撮影モードから画像表示モードへ切り替えられると、記録メディア１２１に保管された画像データが読み出されて、液晶モニタ１１９上に表示可能である。記録メディア１２１から読み出された画像データは、画像処理コントローラ１２２においてビデオ信号に変換され、液晶モニタ１１９にて出力表示される。
【００６３】
図１０は、Ｂμｃｏｍ１１１の概略の撮影動作手順を示すフローチャートである。この動作は、本カメラの処理手順の内、レリーズ操作から画像データ生成までの動作手順を示している。ここで、図１０のルーチンに先立つカメラの電源投入直後などでは、視野枠の位置が基準位置にリセットされ、その後、視野枠保持回路が動作して視野枠の位置が保持される。視野枠の基準位置は、例えばカメラからの距離が３ｍに相当する視野範囲に一致する位置である。勿論、この基準位置は変更可能である。
【００６４】
撮影者によってレリーズ釦が１段押下され、１ｓｔレリーズスイッチがオンされると、図１０のルーチンが開始される。
【００６５】
上記したような初期処理の後、先ず、ステップＳ１では、測光処理が実行される。即ち、測光回路１１５にて測定された被写体の輝度情報が獲得される。次いで、ステップＳ２にて、その輝度情報に基づいて露光量演算が実行され、適正な露光秒時及びストロボの発光タイミングが算出される。
【００６６】
ステップＳ３では、ＡＦ処理が実行される。即ち、測距回路１１４において検出された被写体距離情報に基づいて、焦点レンズ１０８ａの駆動量が算出される。Ｂμｃｏｍ１１１では、上記算出した焦点レンズ１０８ａの駆動量に基づいて、焦点レンズ駆動機構１０９を介して焦点レンズ１０８ａの駆動制御が行われ、焦点位置が調整される。
【００６７】
次のステップＳ４、ステップＳ５では、ズームレンズ１０８ｂのズーム情報及び焦点レンズ１０８ａの焦点位置情報がＢμｃｏｍ１１１に入力されて、ズーム情報及び焦点位置情報が取得される。次のステップＳ６では、ズーム位置情報及び焦点位置情報に基づいて視野枠駆動量算出テーブルが参照されて、視野枠の駆動量が算出される。そして、この算出された視野枠の駆動量に基づいて視野枠の駆動が行われる。視野枠の駆動終了後、視野枠保持回路が動作して視野枠の位置が保持される。
【００６８】
ステップＳ７では、焦点が調整された状態でレリーズ釦が更に（２段）押下されているか否か、即ち２ｎｄレリーズスイッチがオンされたか否かが判定される。２ｎｄレリーズスイッチがオンされていない場合は、ステップＳ７をステップＳ８に分岐して１ｓｔレリーズスイッチがオン状態であるか否かが判定される。ここで、１ｓｔレリーズスイッチがオン状態にある場合は、ステップＳ７に戻って２ｎｄレリーズスイッチがオンされるまで待機する。一方、２ｎｄレリーズスイッチがオンされておらず、１ｓｔレリーズスイッチがオンされていない場合は、撮影者が撮影動作を中止したものと判定されて本ルーチンが終了する。
【００６９】
一方、上記ステップＳ７にて２ｎｄレリーズスイッチがオンされている場合は、撮影動作が継続される。即ち、ステップＳ７をステップＳ９に分岐して、撮像素子インターフェイス回路１１７に対して撮像動作が開始されるように、Ｂμｃｏｍ１１１から指示がなされる。すると、撮像素子インターフェイス回路１１７では、この指示に基づいて撮像素子１１６を動作させる。
【００７０】
ステップＳ１０では、Ｂμｃｏｍ１１１からシャッタ駆動制御回路１１３にシャッタ開信号が出力される。次いで、ステップＳ１１にて、露光秒時を計時するための図示しないタイマーのカウントが開始される。
【００７１】
次に、ステップＳ１２において、Ｂμｃｏｍ８５により、露光秒時が経過したか否かが判定される。ここで、露光秒時が経過していない場合は、ステップＳ１２をステップＳ１３に分岐して、現在ストロボを発光させるモードであるか否かが判定される。ストロボを発光させるモードでない場合には、ステップＳ１２に戻る。
【００７２】
一方、ステップＳ１３において、ストロボを発光させるモードである場合は、ステップＳ１３をステップＳ１４に分岐して、ストロボ発光を行うタイミングであるか否かが判定される。ここで、ストロボ発光を行うタイミングでない場合には、ステップＳ１２に戻る。一方、ステップＳ１４において、ストロボ発光を行うタイミングである場合には、ステップＳ１４をステップＳ１５に分岐して、Ｂμｃｏｍ１１１からストロボ制御マイクロコンピュータ１２８に発光制御信号が出力される。
【００７３】
上記ステップＳ１２にて露光時間が経過した場合は、ステップＳ１２をステップＳ１６に分岐してＢμｃｏｍ１１１からシャッタ閉信号が出力される。これを受けたシャッタ駆動制御回路１１３では、シャッタ１１２の閉じ駆動が行われる。
【００７４】
次に、ステップＳ１７にて、Ｂμｃｏｍ１１１から撮像素子インターフェイス回路１１７に対して撮像動作を停止させる旨の指示が出力される。この撮像素子インターフェイス回路１１７からの指示に基づいて、撮像素子１１６の撮像動作が停止される。
【００７５】
ステップＳ１８では、Ｂμｃｏｍ１１１から画像処理コントローラ１２２に、画像データの処理実行が指示される。画像処理コントローラ１２２では、初めに撮像素子インターフェイス回路１１７を介して撮像素子１１６の蓄積電荷の読み出しが行われる。そして、その信号がＡ／Ｄ変換されて画像データが生成される。そして、その画像データが処理されて、画像処理コントローラ１２２から通信コネクタ１２０を介して、記録メディア１２１に記録される。
【００７６】
更に、ステップＳ１９にて、視野枠位置及び焦点レンズ位置が基準位置にリセットされる。また、視野枠の位置が基準位置にリセットされた後、視野枠保持回路が動作して視野枠の位置が保持される。
【００７７】
以上説明したように第１の実施形態によれば、エレクトレット化部位を形成した視野枠を静電駆動することにより、ファインダ装置を大型化、複雑化することなく、パララックスを補正することができる。
【００７８】
なお、第１の実施形態の変形例として、図１１に示すようにして視野枠ユニットを構成しても良い。図１１の構成は、上記図４の視野枠ユニットにおいて、固定子１と保護部材７とを１つの部材で兼用するようにしたものである。このような構成とすることにより、視野枠ユニットを構成する際の必要部材数を減らすことができる。
【００７９】
［第２の実施形態］
次に、本発明の第２の実施形態について説明する。第１の実施形態は、撮影光学系の真上にファインダ光学系が配置されているカメラを例としたが、この第２の実施形態は、撮影光学系の真上にファインダ光学系が配置されない場合の視野枠ユニットの構成例である。例えば、カメラ正面方向から見て、撮影光学系の斜め上方にファインダ光学系が配置されるカメラも広くでまわっているが、このようなカメラに対しては図３（ａ）から図３（ｂ）に補正するような上下方向のパララックス補正では対応できない。即ち、撮影光学系の斜め上方にファインダ光学系が配置されるカメラにおいては、図１２（ａ）から図１２（ｂ）に補正するような斜め方向のパララックス補正が必要である。
【００８０】
そこで、第２の実施形態では、図１３（ａ）のように視野枠ユニットを構成する。即ち、固定子１の開口部３と視野枠２の開口部５の形状は、図２（ａ）と同様として、駆動電極４を斜め方向に並設する。これにより、視野枠２を図１３（ｂ）に示すように斜め方向に駆動することができる。
【００８１】
なお、図１３（ａ）における駆動電極４の並設方向は、撮影光学系とファインダ光学系との位置関係によって適宜変更可能である。
【００８２】
以上説明したように第２の実施形態によれば、撮影光学系の真上にファインダ光学系が配置されないようなカメラであっても、エレクトレットを利用した視野枠ユニットを構成することができる。
【００８３】
以上実施形態に基づいて本発明を説明したが、本発明は上記した実施形態に限定されるものではなく、本発明の要旨の範囲内で種々の変形や応用が可能なことは勿論である。例えば、
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００８４】
【図１】本発明の第１の実施形態に係るファインダ装置の光学系について示した図である。
【図２】視野枠ユニットの正面図であって、図２（ａ）は視野枠移動前の状態の正面図であり、図２（ｂ）は視野枠移動後の状態の正面図である。
【図３】パララックス補正について説明するための図であって、図３（ａ）は補正前の状態を示す図であり、図３（ｂ）は補正後の状態を示す図である。
【図４】視野枠ユニットの分解斜視図である。
【図５】固定子と視野枠の断面を模式的に示すと共に、視野枠を駆動するための視野枠駆動回路を示した図である。
【図６】視野枠駆動回路によって作成されて、駆動電極に印加される電圧信号列の例を示したタイミングチャートである。
【図７】視野枠の動作を説明する図である。
【図８】視野枠ユニットをカメラに取り付けるための取り付け部材について説明するための図である。
【図９】視野枠ユニットが取り付けられたカメラの電気回路構成について示すブロック図である。
【図１０】Ｂμｃｏｍの概略の撮影動作手順を示すフローチャートである。
【図１１】視野枠ユニットの構成の変形例である。
【図１２】本発明の第２の実施形態におけるパララックス補正について説明するための図であって、図１２（ａ）は補正前の状態を示す図であり、図１２（ｂ）は補正後の状態を示す図である。
【図１３】本発明の第２の実施形態における視野枠ユニットの正面図であって、図１３（ａ）は視野枠移動前の状態の正面図であり、図１３（ｂ）は視野枠移動後の状態の正面図である。
【符号の説明】
【００８５】
１…固定子、１ａ，１ｂ，２ａ，２ｂ，６ａ，６ｂ，７ａ，７ｂ…位置決め孔、２…視野枠、３，５…開口部、４，４Ａ〜４Ｄ…駆動電極、６，７…保護部材、８、８ａ，８ｂ…エレクトレット化部位、９…取り付け部材、９ａ，９ｂ…位置決め部材、１０…視野枠駆動回路、１２…パルス発生回路、１３…位相器、１４…昇圧回路、１５…視野枠保持回路、１０１，１０２，１０３…対物レンズ、１０４…ダハミラー、１０５…視野枠ユニット、１０６…プリズム、１０７…接眼レンズ、１０８ａ…焦点レンズ、１０８ｂ…ズームレンズ、１０９…焦点レンズ駆動機構、１１０…ズームレンズ駆動機構、１１１…ボディ制御用マイクロコンピュータ、１１１ａ…視野枠駆動量算出テーブル、１１２…シャッタ、１１３…シャッタ駆動制御回路、１１４…測距回路、１１５…測光回路、１１６…撮像素子、１１７…撮像素子インターフェイス回路、１１８…ＳＤＲＡＭ、１１９…液晶モニタ、１２０…通信コネクタ、１２１…記録メディア、１２２…画像処理コントローラ、１２３…不揮発性メモリ（ＥＥＰＲＯＭ）、１２４…動作表示用ＬＣＤ、１２５…カメラ操作スイッチ（ＳＷ）、１２６…電源回路、１２７，１２９…電池、１２８…ストロボ制御マイクロコンピュータ、１３０…ＤＣ／ＤＣコンバータ、１３１…閃光発光部
【図１】
2005321638.tif 000003
【図２】
2005321638.tif 000004
【図３】
2005321638.tif 000005
【図４】
2005321638.tif 000006
【図５】
2005321638.tif 000007
【図６】
2005321638.tif 000008
【図７】
2005321638.tif 000009
【図８】
2005321638.tif 000010
【図９】
2005321638.tif 000011
【図１０】
2005321638.tif 000012
【図１１】
2005321638.tif 000013
【図１２】
2005321638.tif 000014
【図１３】
2005321638.tif 000015